(57)【要約】【課題】輻射暖房が可能な面状ヒータを搭載するとともに、電動送風機を設けて面状ヒータの熱を温風として室内に吹出す温風暖房も可能とし、室内温度ムラの少ない快適な暖房機を提供する。【解決手段】面状ヒータ１と裏板５で構成した風路６内に電動送風機８を設けたものである。面状ヒータ１を構成する発熱体１ａに通電発熱させ、その状態で電動送風機８を運転すれば温風暖房、停止すれば輻射暖房の運転がそれぞれ可能であり、運転の切替は運転操作部７に備えた運転モード切替スイッチで行う。【選択図】図２
2006010156.tif 000002
【特許請求の範囲】
【請求項１】
ガラスプレートに発熱体を設けた面状ヒータと、前記面状ヒータを制御する制御手段とを備え、前記面状ヒータの背面側に温風吹出口および空気吸込口に通じた温風暖房用の風路を設けた輻射暖房機。
【請求項２】
ガラスプレートに発熱体を設けた面状ヒータと、前記面状ヒータを載置する架台と、前記架台上の面状ヒータの側面を保持する側板と、前記面状ヒータの上面を保持し運転操作部を有した天板と、前記面状ヒータの背面を覆い、架台、側板、天板と接続した裏板と、前記面状ヒータを制御する制御手段とを備え、前記面状ヒータと裏板の間に温風吹出口および空気吸込口に通じた温風暖房用の風路を形成し、前記風路の一部に温風用の電動送風機を設けた輻射暖房機。
【請求項３】
ガラスプレートに発熱体を取り付けた面状ヒータと、前記面状ヒータを載置する架台と、前記架台上の面状ヒータの側面を保持する側板と、前記面状ヒータ上面を保持し運転操作部を有した天板と、前記面状ヒータの背面を覆い、架台、側板、天板と接続した裏板と、前記面状ヒータを制御する制御手段とを備え、前記面状ヒータと裏板の間に温風吹出口および空気吸込口に通じた温風暖房用の風路を形成し、前記風路の下部に電動送風機を設けた輻射暖房機。
【請求項４】
温風吹出口は面状ヒータの下部に、空気吸込口は面状ヒータの上部にそれぞれ配置した請求項１〜請求項３のいずれかに記載の輻射暖房機。
【請求項５】
輻射暖房運転と温風暖房運転を切替える運転モード切替スイッチを備えた運転操作部を有し、制御手段は前記運転操作部から輻射暖房運転を指示した場合には前記運転モード切替スイッチが発した信号に従って電動送風機を停止し、温風暖房運転を指示した場合には前記運転モード切替スイッチが発した信号に従って電動送風機を運転する機能を有する請求項１〜４のいずれかに記載の輻射暖房機。
【請求項６】
ガラスプレートに発熱体を設けた面状ヒータと、前記面状ヒータの下に位置して設けた第１開口部と、前記面状ヒータの上に位置して設けた第２開口部と、前記第１開口部および第２開口部にそれぞれ上下を連通して設けた温風暖房用の第１風路および輻射暖房時における自然対流促進用の第２風路と、前記第１風路の下部に設けた温風用の第１電動送風機と、第２風路の上部に設けた自然対流促進用の第２電動送風機と、前記面状ヒータ、第１電動送風機、第２電動送風機を制御し、温風暖房運転と輻射暖房運転を切替える制御手段とを備えた輻射暖房機。
【請求項７】
ガラスプレートに発熱体を取り付けた面状ヒータと、前記面状ヒータを載置する架台と、前記架台上の面状ヒータの側面を保持する側板と、前記面状ヒータの上面を保持し運転操作部を有した天板と、前記面状ヒータの背面を覆い、前記架台、側板、天板と接続した裏板とを備え、前記面状ヒータの下部に第１開口部を、前記面状ヒータの上部に第２開口部を設け、前記面状ヒータと裏板の間に仕切板を設けて前記面状ヒータと仕切板との間に第１風路を形成するとともに、前記仕切板と裏板との間に第２風路を形成し、前記第１風路、第２風路ともに下部を前記第１開口部に、上部を前記第２開口部にそれぞれ連通させ、前記第１風路の下部に第１電動送風機を設けるとともに、前記第２風路の上部に第２電動送風機を設け、前記面状ヒータ、第１電動送風機、第２電動送風機を制御し、輻射暖房運転と温風暖房運転を切替える運転モード切替スイッチを備えた運転操作部を有し、さらに前記運転操作部から輻射暖房運転を指示した場合には前記運転モード切替スイッチが発した信号に従って第１電動送風機を停止するとともに第２電動送風機を運転し、温風暖房運転を指示した場合には前記運転モード切替スイッチが発した信号に従って第１電動送風機を運転するとともに第２電動送風機を停止させる制御手段を有する輻射暖房機。
【請求項８】
ガラスプレートに発熱体を設けた面状ヒータと、前記面状ヒータの下に位置して設けた第１開口部と、前記面状ヒータの上に位置して設けた第２開口部と、前記第１開口部および第２開口部にそれぞれ上下を連通して設けた温風暖房用の第１風路と、前記第２開口部に上端部を、下端部を空気吸引用の第３開口部にそれぞれ連通した輻射暖房時における自然対流促進用の第２風路と、前記第１風路の下部に設けた温風用の第１電動送風機と、第２風路の上部に設けた自然対流促進用の第２電動送風機と、前記面状ヒータ、第１電動送風機、第２電動送風機を制御し、温風暖房運転と輻射暖房運転を切替える制御手段とを備えた輻射暖房機。
【請求項９】
ガラスプレートに発熱体を取り付けた面状ヒータと、前記面状ヒータを載置する架台と、前記架台上の面状ヒータの側面を保持する側板と、前記面状ヒータの上面を保持し、運転操作部を有した天板と、前記面状ヒータの背面を覆い、架台、側板、天板と接続した裏板とを備え、前記面状ヒータの下部に第１開口部を、前記面状ヒータの上部に第２開口部を、前記裏板に第３開口部をそれぞれ設け、前記面状ヒータと裏板の間に仕切板を設けて前記面状ヒータと仕切板との間に温風暖房用の第１風路を形成するとともに、前記仕切板と裏板との間に輻射暖房時における自然対流促進用の第２風路を形成し、前記第１風路の下部を第１開口部に、上部を第２開口部にそれぞれ連通させ、前記第２風路の下部を第３開口部に、上部を第２開口部にそれぞれ連通させ、前記第１風路の下部に第１電動送風機を設けるとともに、前記第２風路の上部に第２電動送風機を設け、輻射暖房運転と温風暖房運転を切替える運転モード切替スイッチを備えた運転操作部を有し、前記運転操作部から輻射暖房運転を指示した場合には前記運転モード切替スイッチが発した信号に従って第１電動送風機を停止するとともに第２電動送風機を運転し、温風暖房運転を指示した場合には前記運転モード切替スイッチが発した信号に従って第１電動送風機を運転するとともに第２電動送風機を停止させる制御手段を有する輻射暖房機。
【請求項１０】
ガラスプレートに発熱体を設けた面状ヒータと、前記面状ヒータの下に位置して設けた第１開口部と、前記面状ヒータの上に位置して設けた第２開口部と、空気吸引用の第３開口部と、前記第１開口部に下部を、前記第３開口部に上部をそれぞれ連通して設けた温風暖房用の第１風路と、前記第２開口部に上端部を、前記第３開口部に下端部をそれぞれ連通した輻射暖房時における自然対流促進用の第２風路と、前記第１風路の下部に設けた温風用の第１電動送風機と、第２風路の上部に設けた自然対流促進用の第２電動送風機と、前記面状ヒータ、第１電動送風機、第２電動送風機を制御し、温風暖房運転と輻射暖房運転を切替える制御手段とを備えた輻射暖房機。
【請求項１１】
ガラスプレートに発熱体を取り付けた面状ヒータと、前記面状ヒータを載置する架台と、前記架台上の面状ヒータの側面を保持する側板と、前記面状ヒータの上面を保持し、運転操作部を有した天板と、前記面状ヒータの背面を覆い、架台、側板、天板と接続した裏板とを備え、前記面状ヒータの下部に第１開口部を、面状ヒータの上部に第２開口部を、裏板に第３開口部をそれぞれ設け、前記面状ヒータと裏板の間に仕切板を設けて前記面状ヒータと仕切板との間に温風暖房用の第１風路を形成するとともに前記仕切板と裏板との間に自然対流促進用の第２風路を形成し、前記第１風路の下部を第１開口部に、上部を第３開口部にそれぞれ連通させ、前記第２風路の下部を第３開口部に、上部を第２開口部にそれぞれ連通させ、前記第１風路の下部に第１電動送風機を設けるとともに、前記第２風路の上部に第２電動送風機を設け、輻射暖房運転と温風暖房運転を切替える運転モード切替スイッチを備えた運転操作部を有し、さらに前記運転操作部から輻射暖房運転を指示した場合には前記運転モード切替スイッチが発した信号に従って第１電動送風機を停止するとともに第２電動送風機を運転し、温風暖房運転を指示した場合には前記運転モード切替スイッチが発した信号に従って第１電動送風機を運転するとともに第２電動送風機を停止させる制御手段を有する輻射暖房機。
【請求項１２】
第３開口部にフィルターを設けたことを特徴とする請求項８〜１１のいずれかに記載の輻射暖房機。
【請求項１３】
第２電動送風機は回転数を、第１電動送風機の回転数よりも低くしてなる請求項８〜１２のいずれかに記載の輻射暖房機。
【請求項１４】
第１電動送風機または第２電動送風機はクロスフローファンを用いた請求項１〜１３のいずれかに記載の輻射暖房機。
【発明の詳細な説明】
【技術分野】
【０００１】
本発明は電気暖房機の面状ヒータを利用した輻射暖房機に関するものである。
【背景技術】
【０００２】
従来のこの種の輻射暖房機は、例えばセラミックによる発熱体の背部に、電熱膜を設けたセラミック板を加熱して遠赤外線を発する遠赤外線を備えた電気ヒータがある（例えば、特許文献１参照）。
【０００３】
図９は、特許文献１に記載された従来の輻射暖房機を示すものである。図９に示すように、暖房機本体６５と、セラミック上に導電電熱膜が塗布された電熱板６６と、暖房機本体６５の片側に配設した電源スイッチ６７と、暖房機本体６５の正面に取り付けられた網６８から構成されている。
【０００４】
しかしながら、前記従来の構成では温風を出さず、発熱体が高温になることにより生じる輻射熱と自然対流に頼る暖房方式であるため、以下の課題を有していた。
【０００５】
（１）すなわち、暖房機本体の前方に居る使用者の暖房感はその殆どがセラミックからの輻射熱によるものであり、使用者周辺の空気温度は温風暖房機の使用の場合のそれに比べはるかに低いため、十分な暖房感が得られ難い。
【０００６】
（２）暖房の自然対流による部分については、電熱板周囲の空気が受熱することで比重が軽くなり、暖房機本体上方から使用空間の天井へと上昇し、やがて冷却されて床へと下降する自然対流現象に頼るため、暖房空間の上下温度差が大きくなって頭周辺は暑く足元は寒いという状態になり暖房感が悪い。
【０００７】
（３）電熱板と室内空気との熱交換は前記（２）項に記述した自然対流によるため、送風機によって電熱板周囲に空気流を形成して熱交換する場合に比べはるかに熱交換の効率が悪く、暖房能力が低下するばかりか電熱板周囲の温度が高くなる。従って、外郭の温度が上昇して使用者が火傷する危険性が生じたり、内部部品にあっては材料をより耐熱性の高い仕様に変えたり遮熱部品の追加が必要になるなど安全性・原価面で課題がある。
【特許文献１】実用新案登録第３０７８４８８号公報
【発明の開示】
【発明が解決しようとする課題】
【０００８】
前記従来の技術の問題点に鑑み、本発明が解決しようとする課題は、室内の上下温度ムラを抑えた快適な暖房を実現するとともに、機器本体の温度上昇を抑えた安全性の高い輻射暖房機を提供することにある。
【課題を解決するための手段】
【０００９】
前記課題を解決するために、本発明の輻射暖房機は、ガラスプレートに発熱体を設けた面状ヒータを形成し、この面状ヒータの背面側に温風暖房用の風路を形成したものである。これによって、輻射暖房運転に加え温風暖房運転も可能になり、機器から温風を吹出すことで室内の上下温度ムラを抑えた快適な暖房を実現できるとともに、発熱体周囲の空気の流れが輻射暖房時に比べはるかに早くなることで熱交換が促進され且つ、機体温度の冷却効果も得られ安全性を高めることができる。
【発明の効果】
【００１０】
本発明の輻射暖房機は、輻射暖房運転に加え温風暖房運転も可能にすることで、室内の上下温度ムラを抑えた快適な暖房を実現できるとともに、機器本体の温度上昇を抑えた安全性の高い輻射暖房機を提供することができる。
【発明を実施するための最良の形態】
【００１１】
第１の発明はガラスプレートに発熱体を設けた面状ヒータと、前記面状ヒータの通電を制御する制御手段とを備え、前記面状ヒータの背面側に温風吹出口および空気吸込口に通じた温風暖房用の風路を形成した輻射暖房機とすることにより、面状ヒータにより輻射暖房が行われ、さらに風路で空気が暖められ温風暖房も行われ、室内の上下温度ムラを抑えた快適な輻射暖房機を提供することができる。
【００１２】
第２の発明は、ガラスプレートに発熱体を設けた面状ヒータと、前記面状ヒータを載置する架台と、前記架台上の面状ヒータの側面を保持する側板と、前記面状ヒータの上面を保持し、運転操作部を有した天板と、前記面状ヒータの背面を覆い、架台、側板、天板と接続した裏板と、前記面状ヒータの通電を制御する制御手段とを備え、前記面状ヒータと前記裏板の間に温風吹出口および空気吸込口に通じた温風暖房用の風路を形成し、前記風路の一部に電動送風機を設けた輻射暖房機である。
【００１３】
この実施の形態にすることにより、面状ヒータにより輻射暖房が行われ、さらに風路で空気が暖められ電動送風機により送風されて温風暖房も行われ、室内の上下温度ムラを抑えた快適な輻射暖房機を提供することができる。
【００１４】
第３の発明は、ガラスプレートに発熱体を設けた面状ヒータと、前記面状ヒータを載置する架台と、前記架台上の面状ヒータの側面を保持する側板と、前記面状ヒータの上面を保持し、運転操作部を有した天板と、前記面状ヒータの背面を覆い、架台、側板、天板と接続した裏板と、前記面状ヒータの通電を制御する制御手段とを備え、前記面状ヒータと前記裏板の間に温風吹出口および空気吸込口に通じた温風暖房用の風路を形成し、前記風路の下部に電動送風機を設けた輻射暖房機である。
【００１５】
この実施の形態にすることにより、重量物である電動送風機のモータが機器本体の下部に配置されて重心を低くでき、機器本体の容易な転倒を防止することができる。また、電動送風機のモータが発熱体より下方にあることで、機器本体の通電停止後に発熱体の余熱でモータや配線が加熱されて予想外の温度に至り故障する可能性を排除できる。
【００１６】
第４の発明は、第１の発明から第３の発明のいずれかにあって、温風吹出口を面状ヒータの下部に、空気吸込口を面状ヒータの上部に備えた輻射暖房機とすることにより、温風暖房時の温風を発生させる際に熱源たる発熱体が電動送風機よりも上流側にあることから、温風発生により生じる発熱体周囲の空気流が均一な流れになり易く、発熱体とその周囲の空気流との熱交換を効率的に行うことができ、暖房感が向上するとともに、機器本体の温度の冷却ムラも抑えることができる。
【００１７】
第５の発明は、第１の発明から第４の発明のいずれかにあって、輻射暖房運転と温風暖房運転を切替える運転モード切替スイッチを備えた運転操作部を有し、前記運転操作部から輻射暖房運転を指示した場合には前記運転モード切替スイッチが発した信号に従って電動送風機を停止し、温風暖房運転を指示した場合には運転モード切替スイッチが発した信号に従って電動送風機を運転する機能を有する制御手段を備えた輻射暖房機としてあるので、使用者の意志で自在に輻射暖房運転と温風暖房運転とを切替えて運転できる。
【００１８】
第６の発明は、ガラスプレートに発熱体を設けた面状ヒータと、前記面状ヒータの下に位置して設けた第１開口部と、前記面状ヒータの上に位置して設けた第２開口部と、前記第１開口部および第２開口部にそれぞれ上下を連通して設けた温風暖房用の第１風路および輻射暖房時における自然対流促進用の第２風路と、前記第１風路の下部に設けた温風用の第１電動送風機と、第２風路の上部に設けた自然対流促進用の第２電動送風機と、前記面状ヒータ、第１電動送風機、第２電動送風機を制御し、温風暖房運転と輻射暖房運転を切替える制御手段とを備えた輻射暖房機である。
【００１９】
この実施の形態にすることにより、温風暖房運転の時には第１電動送風機のみ動作させて機器本体下方の第１開口部より温風を吹出させ室内上下温度ムラが少ない快適な暖房感が得られるとともに、輻射暖房運転の際には第２電動送風機のみ動作させて機器本体上部の第２開口部からの放熱を促進させて機体温度を下げ且つ、室内空気の対流を助け暖房感を向上できる。
【００２０】
第７の発明は、ガラスプレートに発熱体を取り付けた面状ヒータと、前記面状ヒータを載置する架台と、前記架台上の面状ヒータの側面を保持する側板と、前記面状ヒータの上面を保持し運転操作部を有した天板と、前記面状ヒータの背面を覆い、前記架台、側板、天板と接続した裏板とを備え、前記面状ヒータの下部に第１開口部を、面状ヒータの上部に第２開口部をそれぞれ設け、前記面状ヒータと裏板の間に仕切板を設けて前記面状ヒータと仕切板との間に温風暖房用の第１風路を形成するとともに、前記仕切板と裏板との間に輻射暖房時における自然対流促進用の第２風路を形成し、前記第１風路、第２風路ともに下部を前記第１開口部に、上部を前記第２開口部にそれぞれ連通させ、前記第１風路の下部に第１電動送風機を設けるとともに、前記第２風路の上部に第２電動送風機を設け、前記面状ヒータ、第１電動送風機、第２電動送風機を制御し、輻射暖房運転と温風暖房運転を切替える運転モード切替スイッチを備えた運転操作部を有し、さらに前記運転操作部から輻射暖房運転を指示した場合には前記運転モード切替スイッチが発した信号に従って第１電動送風機を停止するとともに第２電動送風機を運転し、温風暖房運転を指示した場合には前記運転モード切替スイッチが発した信号に従って第１電動送風機を運転するとともに第２電動送風機を停止させる制御手段を有する輻射暖房機である。
【００２１】
この実施の形態とすることにより、温風暖房運転の時には第１電動送風機のみ動作させて機器下方の開口部より温風を発生させ室内の上下温度ムラが少ない快適な暖房感が得られるとともに、輻射暖房運転の際には第２電動送風機のみ動作させて機器上部の開口部からの放熱を促進させて機体温度を下げ且つ、室内空気の対流を助け暖房感を向上できる。しかも本構成では温風暖房運転の際には面状ヒータと仕切板との間に形成した第１風路を使用し、輻射暖房運転の際には仕切板と裏板との間に形成した第２風路を使用するので、輻射暖房運転時に機体温度冷却のために発生させる空気流による面状ヒータ周囲の温度低下を軽減して発熱体の表面温度を維持し輻射量の低下を防ぐことができ、安全性と快適な暖房感の両立ができる。
【００２２】
第８の発明は、ガラスプレートに発熱体を設けた面状ヒータと、前記面状ヒータの下に位置して設けた第１開口部と、前記面状ヒータの上に位置して設けた第２開口部と、前記第１開口部および第２開口部にそれぞれ上下を連通して設けた温風暖房用の第１風路と、前記第２開口部に上端部を、下端部を空気吸引用の第３開口部にそれぞれ連通した輻射暖房時における自然対流促進用の第２風路と、前記第１風路の下部に設けた温風用の第１電動送風機と、第２風路の上部に設けた自然対流促進用の第２電動送風機と、前記面状ヒータ、第１電動送風機、第２電動送風機を制御し、温風暖房運転と輻射暖房運転を切替える制御手段とを備えた輻射暖房機である。
【００２３】
第９の発明は、ガラスプレートに発熱体を取り付けた面状ヒータと、前記面状ヒータを載置する架台と、前記架台上の面状ヒータの側面を保持する側板と、前記面状ヒータ上面を保持し、運転操作部を有した天板と、前記面状ヒータの背面を覆い、架台、側板、天板と接続した裏板とを備え、前記面状ヒータの下部に第１開口部を、前記面状ヒータの上部に第２開口部を、前記裏板に第３開口部をそれぞれ設け、前記面状ヒータと裏板の間に仕切板を設けて前記面状ヒータと仕切板との間に温風暖房用の第１風路を形成するとともに、前記仕切板と裏板との間に輻射暖房時における自然対流促進用の第２風路を形成し、前記第１風路の下部を第１開口部に、上部を第２開口部にそれぞれ連通させ、前記第２風路の下部を第３開口部に、上部を第２開口部にそれぞれ連通させ、前記第１風路の下部に第１電動送風機を設けるとともに、前記第２風路の上部に第２電動送風機を設け、輻射暖房運転と温風暖房運転を切替える運転モード切替スイッチを備えた運転操作部を有し、前記運転操作部から輻射暖房運転を指示した場合には前記運転モード切替スイッチが発した信号に従って第１電動送風機を停止するとともに第２電動送風機を運転し、温風暖房運転を指示した場合には前記運転モード切替スイッチが発した信号に従って第１電動送風機を運転するとともに第２電動送風機を停止させる制御手段を有する輻射暖房機である。
【００２４】
これらの実施の形態とすることにより、第６の発明と同様に輻射暖房運転時に機体温度冷却のために発生させる空気流による面状ヒータ周囲の温度低下を軽減して発熱体の表面温度を維持し輻射量の低下を防ぐことができ、安全性と快適な暖房感の両立ができるが、さらに第１開口部は第１風路の下部とのみ連通させ、第２風路の下部は裏板に別途設けた第３の開口部に連通しているので、温風暖房運転時に第１電動送風機を運転すると第１風路のみに空気流が発生して早い流速が得られるので、熱交換効率が高まり暖房性能を向上できる。
【００２５】
第１０の発明は、ガラスプレートに発熱体を設けた面状ヒータと、前記面状ヒータの下に位置して設けた第１開口部と、前記面状ヒータの上に位置して設けた第２開口部と、空気吸引用の第３開口部と、前記第１開口部に下部を、前記第３開口部に上部をそれぞれ連通して設けた温風暖房用の第１風路と、前記第２開口部に上端部を、前記第３開口部に下端部をそれぞれ連通した輻射暖房時における自然対流促進用の第２風路と、前記第１風路の下部に設けた温風用の第１電動送風機と、第２風路の上部に設けた自然対流促進用の第２電動送風機と、前記面状ヒータ、第１電動送風機、第２電動送風機を制御し、温風暖房運転と輻射暖房運転を切替える制御手段とを備えた輻射暖房機である。
【００２６】
また、第１１の発明はガラスプレートに発熱体を取り付けた面状ヒータと、前記面状ヒータを載置する架台と、前記架台上の面状ヒータの側面を保持する側板と、前記面状ヒータの上面を保持し、運転操作部を有した天板と、前記面状ヒータの背面を覆い、架台、側板、天板と接続した裏板とを備え、前記面状ヒータの下部に第１開口部を、面状ヒータの上部に第２開口部を、裏板に第３開口部をそれぞれ設け、前記面状ヒータと裏板の間に仕切板を設けて前記面状ヒータと仕切板との間に温風暖房用の第１風路を形成するとともに前記仕切板と裏板との間に輻射暖房時における自然対流促進用の第２風路を形成し、前記第１風路の下部を第１開口部に、上部を第３開口部にそれぞれ連通させ、前記第２風路の下部を第３開口部に、上部を第２開口部にそれぞれ連通させ、前記第１風路の下部に第１電動送風機を設けるとともに、前記第２風路の上部に第２電動送風機を設け、輻射暖房運転と温風暖房運転を切替える運転モード切替スイッチを備えた運転操作部を有し、さらに前記運転操作部から輻射暖房運転を指示した場合には前記運転モード切替スイッチが発した信号に従って第１電動送風機を停止するとともに第２電動送風機を運転し、温風暖房運転を指示した場合には前記運転モード切替スイッチが発した信号に従って第１電動送風機を運転するとともに第２電動送風機を停止させる制御手段を有する輻射暖房機である。
【００２７】
これらの実施の形態とすることにより、第８の発明と同様に輻射暖房運転時に機体温度冷却のために発生させる空気流による面状ヒータ周囲の温度低下を軽減して発熱体の表面温度を維持し輻射量の低下を防ぐことができ、安全性と快適な暖房感の両立ができるとともに、第１風路の下部は第１開口部に、上部は裏板に別途設けた第３開口部とそれぞれ連通させ、第２風路の下部は第３開口部に、上部は第２開口部にそれぞれ連通させているので、温風暖房運転時に第１電動送風機を運転すると第１風路のみに空気流が発生して早い流速が得られるので、熱交換効率が高まり暖房性能を向上できる。
【００２８】
第１２の発明は、第８の発明〜第１１の発明のいずれかの発明の第３開口部にフィルターを設けてあるので、給気中のゴミや埃が機器本体内部へ侵入することを防止し、埃が風路中に詰まったり電動送風機の羽根に付着して起こる風量ダウンによって生じる機器の異常過熱や暖房能力ダウンを防止できる。
【００２９】
第１３の発明は、第８の発明〜第１２の発明のいずれかの発明の第２電動送風機の回転数を、第１電動送風機の回転数よりも低くしてあるため、輻射暖房運転時に機体温度冷却のために発生させる空気流を適切な量にすることが可能で、その結果、面状ヒータ周囲の温度低下が第６および第７の発明よりもさらに少なく発熱体の表面温度を維持して輻射量の低下を防ぐことができ安全性と快適な暖房感の両立ができる。
【００３０】
第１４の発明は、第１の発明〜第１３の発明のいずれかの発明の第１電動送風機または第２電動送風機に、クロスフローファンを用いてあるので、前述の温風あるいは冷却のための空気流を均一に発生させることができ、温度ムラの少ない快適な暖房感が得られるとともに、機体構成をコンパクトにすることができる。
【００３１】
本発明の目的は、第１の発明〜第１４の発明の要部を実施の形態とすることにより達成できるので、各請求項に対応する実施の形態の詳細を、以下に図面を参照しながら説明し、本発明を実施するための最良の形態の説明とする。なお、本発明は本実施の形態により限定されるものではない。また、本実施の形態の説明において、同一構成並びに作用効果を奏するところには同一符号を付して重複した説明を行わないものとする。
【００３２】
（実施の形態１）
図１は、本発明の実施の形態１における輻射暖房機の外観図で、図２は同じく縦断面図で、図３は通電回路図を示すものである。
【００３３】
図１、図２、図３において、輻射暖房機は、ガラスプレート１ｂの裏面に発熱体１ａを印刷した面状ヒータ１を機器本体の前面全体に配置し、その下部に面状ヒータ１を載置する架台３と、面状ヒータ１の側面を保持する側板４と、面状ヒータ１の上面を保持し、運転操作部７を有した天板２と、面状ヒータ１の背面を覆い、架台３、側板４、天板２と接続した裏板５とで構成している。
【００３４】
そして、温風暖房用の風路６は、面状ヒータ１の発熱体１ａの背面側と裏板５の間において、発熱体１ａに対向して縦方向に配置し、その下部にクロスフローファンの電動送風機８を設け、さらに面状ヒータ１の下部に位置して機器本体の前面下部に横長に臨み、風路６に連通した温風吹出口６ａと、面状ヒータ１の上部に位置して機器本体の前面上部に横長に臨み、風路６に連通した部屋の空気を吸引する空気吸込口６ｂを備えている。
【００３５】
運転操作部７は、機器本体の電源スイッチ１０と、輻射暖房運転と温風暖房運転を切替える運転モード切替スイッチ１１と、摘みのついた可変抵抗器１３を有し、この運転操作部７と異常加熱防止スイッチ１４と面状ヒータ１の発熱体１ａと電源プラグ９とを接続して制御手段１２を構成している。
【００３６】
以上のように構成された輻射暖房機について、以下その動作、作用を説明する。まず、電源プラグ９をコンセント（図示せず）に差込み、電源スイッチ１０を入れて輻射暖房運転の運転モード切替スイッチ１１により輻射暖房運転か温風暖房運転かを選択する。そして、運転モード切替スイッチ１１で輻射暖房運転を選択すると、電動送風機８は停止したまま、面状ヒータ１の発熱体１ａに通電され発熱体１ａが発熱し機器本体の前面のガラスプレート１ｂが加熱されガラスプレート面から輻射放熱されて、その前方にいる使用者（図示せず）を暖房する。このとき、面状ヒータ１で熱せられた周囲の空気は機器本体上方へ上昇し部屋の天井へ向かい、やがて冷却された空気は床方向へ下降してくる自然対流が生じて室内をゆっくりと暖房する。
【００３７】
発熱体１ａは、可変抵抗器１３により電流値が制御され、発熱体１ａの発熱量が制御でき、ガラスプレート１ｂの加熱量を調整できる。面状ヒータ１の上部には、天板２が異常加熱したときには、発熱体１ａへの通電回路を遮断する異常加熱防止スイッチ１４が取り付けられている。
【００３８】
温風暖房運転の運転モード切替スイッチ１１で温風暖房運転を選択すると、電動送風機８が動作するとともに、面状ヒータ１の発熱体１ａに通電され発熱体１ａが発熱する。従って、電動送風機８の運転により図２に矢印で示す室内空気が空気吸込口６ｂから吸込まれ、風路６を下降する間に発熱体１ａと熱交換して温風８ａとなり、この温風８ａは温風吹出口６ａから吹出されて使用者（図示せず）が居る室内を暖房する。このとき、温風８ａが吹出される温風吹出口６ａは面状ヒータ１の下部になる機器本体下部にあるため、発熱体１ａで発生した熱をより遠くまで届かせることが可能で、運転開始から短時間に足元から暖かく上下温度ムラの少ない暖房をすることができる。
【００３９】
以上のように、本実施の形態においては、即暖性に優れ且つ室内の上下温度ムラを抑えた足元から暖かい温風暖房運転と、気流感のない快適な輻射暖房運転とを使用者の意志で自在に実現できる。
【００４０】
また、電動送風機８は発熱体１ａよりも下方に位置しているので、発熱体１ａの異常過熱や風路６への埃の流入による風量低下で発熱体１ａ周囲の温度が上昇した場合でもその熱を受け難く、電動送風機８の配線（図示せず）やモータ（図示せず）が想定外の温度に至り故障する可能性を排除できる。さらに、電動送風機８は発熱体１ａよりも下方に位置しているので、発熱体１ａ周囲の空気流が均一になり易く、発熱体１ａとその周囲の空気流との熱交換を効率的に行うことができ、暖房感が向上するとともに、機器本体温度の冷却ムラも抑えることができる。
【００４１】
さらに、電動送風機８の羽根形状はクロスフローファンとしてあるので、温風を均一に発生させることができ暖房感を向上させ得るばかりではなく、機器本体の構成をコンパクトにすることができる。
【００４２】
なお、本実施の形態では電動送風機８を一個だけ使用しているが、２個使用して温風暖房用と輻射暖房時における自然対流促進用とに分けて使用しても良く、また一個の電動送風機を、回転方向を切替えて温風暖房用と輻射暖房時における自然対流促進用に使い分ける構成にしても良い。
【００４３】
（実施の形態２）
図４は本発明の実施の形態２における輻射暖房機の外観図で、図５は同じく縦断面図で、図６は通電回路図を示すものである。本実施の形態は、輻射暖房と温風暖房を行える基本的な輻射暖房機の構成は実施の形態１と同じで、輻射暖房時の自然対流作用を電動送風機により促進できるようにした点で異なるものである。
【００４４】
図４、図５、図６において、面状ヒータ１の発熱体１ａと裏板５の間には仕切板２３を縦方向に設け、発熱体１ａと仕切板２３の間に第１風路２４を構成するとともに、仕切板２３と裏板５の間に第２風路２５を構成している。面状ヒータ１の下部には、機器本体の前面下部に臨む横長の第１開口部２１を、面状ヒータ１の上部には機器本体の前面上部に臨む横長の第２開口部２２を設けており、第１風路２４および第２風路２５の下部はともに第１開口部２１に連通させ、第１風路２４および第２風路２５の上部はともに第２開口部２２に連通させてある。
【００４５】
さらに、第１風路２４および第２風路２５の下部と第１開口部２１の間には、クロスフローファンの第１電動送風機２６を設け、第２風路２５の上部と第２開口部２２の間には、クロスフローファンの第２電動送風機２７を設けてある。輻射暖房と温風暖房を切替える運転モード切替スイッチ３１は、発熱体１ａに直列接続し、かつ並列結線の第１電動送風機２６と第２電動送風機２７を切替える構成にしてある。
【００４６】
以上のように構成された輻射暖房機について、以下その動作、作用を説明する。まず、電源プラグ９をコンセント（図示せず）に差込み、電源スイッチ１０を入れて運転モード切替スイッチ３１で輻射暖房運転か温風暖房運転かを選択する。
【００４７】
輻射暖房運転の運転モード切替スイッチ３１で輻射暖房運転を選択すると第２電動送風機２７に接続され、第１電動送風機２６は停止したまま第２電動送風機２７が動作し、かつ面状ヒータ１の発熱体１ａに通電される。そして、発熱体１ａが発熱し機器本体の前面のガラスプレート１ｂが加熱されガラスプレート面から輻射放熱されてその前方にいる使用者（図示せず）を暖房するとともに、面状ヒータ１で熱せられた周囲の空気は機器上方へ上昇し部屋の天井へ向かい、やがて冷却された空気は床方向へ下降してくる自然対流が生じて室内をゆっくりと暖房する。
【００４８】
この輻射暖房運転時にあって、本実施の形態では第２電動送風機２７が動作していることにより、図５に２点鎖線の矢印で示すように機器本体の下部に位置する第１開口部２１から室内の空気が吸引され第２風路２５を経て機器本体の上部に位置する第２開口部２２より室内に放出される自然対流促進風２９が発生して前述の自然対流を促進させ室内の暖房状態を向上させるとともに、輻射暖房運転時の機器本体の温度、特に裏側および上面側を低減することができ、温度対策用の遮熱板などの部品追加によるコストアップなしに安全性を高めることもできる。
【００４９】
また、輻射暖房運転の際の自然対流促進風２９は仕切り板２３および第２風路２５の上部に位置する第２電動送風機２７により第２風路２５を通り、発熱体１ａ近傍の第１風路２４に空気流が発生しないため、発熱体１ａの表面温度を通常通りに維持することができ、輻射量の低下を防ぐことができる。発熱体１ａは、可変抵抗器１３により電流値が制御され、発熱体１ａの発熱量が制御でき、ガラスプレート１ｂの加熱量を調整できる。
【００５０】
次に温風暖房運転の運転モード切替スイッチ３１で温風暖房運転を選択すると第１電動送風機２６に接続され、第２電動送風機２７は停止したまま第１電動送風機２６が動作し、かつ面状ヒータ１の発熱体１ａに通電され発熱体１ａが発熱する。そして、図５に実線矢印で示すように、室内空気２８が機器本体の上部に位置する第２開口部２２から吸込まれ、第１風路２４と第２風路２５を通過し、第１風路２４を通過する際に発熱体１ａと熱交換して温風３０となり、この温風３０は第２風路２５を降りてきた室内の空気と混合して機器本体の下部に位置する第１開口部２１から吹出されて使用者（図示せず）が居る室内を暖房する。
【００５１】
そして、温風３０が吹出される第１開口部２１は、機器本体の下部にあるため、発熱体１ａで発生した熱をより遠くまで届かせることが可能で、運転開始から短時間に足元から暖かく上下温度ムラの少ない暖房をすることができる。
【００５２】
以上のように、本実施の形態においては、即暖性に優れ且つ室内の上下温度ムラを抑えた足元から暖かい温風暖房運転と、気流感のない快適な輻射暖房運転とを使用者の意志で自在に実現でき、この輻射暖房運転時に輻射量を落とすことなく自然対流を促進する自然対流促進風２９を発生させてより快適な輻射暖房を実現できる。
【００５３】
さらに、第１電動送風機２６および第２電動送風機２７の羽根形状はクロスフローファンとしてあるので、温風３０あるいは自然対流促進風２９を均一に発生させることができ暖房感を向上させ得るばかりではなく、機器本体の構成をコンパクトにすることができる。
【００５４】
（実施の形態３）
図７は本発明の実施の形態３における輻射暖房機の縦断面図である。輻射暖房機の外観図は図４と、通電回路図は図６と共通である。本実施の形態は、輻射暖房と温風暖房を行える基本的な輻射暖房機の構成は実施の形態１と、そして輻射暖房運転時に輻射量を落とすことなく自然対流を促進する自然対流促進風を発生させる基本構成は実施の形態２とそれぞれ同じで、仕切板で第１風路と第２風路を独立させた構成の点で異なるものである。
【００５５】
図４、図６、図７において、仕切板４１は、上端部を第２開口部の中間部に臨ませ、下端部を第１電動送風機２６の上手側において裏板５に一体に接続して第１風路４２と第２風路４３を独立させた構成にしてある。すなわち、面状ヒータ１と仕切板４１で第１風路４２を構成するとともに、仕切板４１と裏板５で第２風路４３を構成している。
【００５６】
従って、第１電動送風機２６は第１風路４２の下部に、第２電動送風機２７は第２風路４３の上端部にそれぞれ配置している。面状ヒータ１の下部には第１開口部２１、面状ヒータ１の上部には第２開口部２２を設けており、裏板５には第２風路４３の下端部に通じて吸気口となる第３開口部４０を設けてある。第１風路４２の下部は第１開口部２１、上部は第２開口部２２に連通させ、第２風路４３の下部は第３開口部４０、上部は第２開口部２２に連通させてある。第３開口部４０には、フィルター４０ａを取付けてある。
【００５７】
以上のように構成された輻射暖房機について、以下その動作、作用を説明する。まず、電源プラグ９をコンセント（図示せず）に差込み電源スイッチ１０を入れ、運転モード切替スイッチ３１で輻射暖房運転か温風暖房運転かを選択する。
【００５８】
輻射暖房運転の運転モード切替スイッチ３１で輻射暖房運転を選択すると、第１電動送風機２６は停止したまま第２電動送風機２７が動作し、かつ面状ヒータ１の発熱体１ａに通電される。すると、発熱体１ａが発熱し前面のガラスプレート１ｂが加熱されガラスプレート面から輻射放熱されてその前方にいる使用者（図示せず）を暖房するとともに、面状ヒータ１で熱せられた周囲の空気は機器上方へ上昇し部屋の天井へ向かい、やがて冷却された空気は床方向へ下降してくる自然対流が生じて室内をゆっくりと暖房する。このとき、第２電動送風機２７が動作していることにより、２点鎖線の矢印で示すように、フィルター４０ａの付いた第３開口部４０から室内の空気吸引されが第２風路４３を経て第２開口部２２より室内に放出される自然対流促進風４５が発生して前述の自然対流を促進させ室内の暖房状態を向上させるとともに、輻射暖房運転時の機器本体の温度、特に裏側および上面側を低減することができ、温度対策用の遮熱板などの部品追加によるコストアップなしに安全性を高めることができる。
【００５９】
またさらに、輻射暖房運転の際の自然対流促進風４５は第２風路４３を通るので発熱体１ａ近傍に空気流が発生せず、第２電動送風機２７は温風暖房運転時の第１電動送風機２６よりも低い回転数で運転して自然対流促進風４５の風量を少なくしているため、発熱体１ａの表面温度を維持することができ、輻射量の低下を防ぐことができる。しかも、自然対流促進風４５を取入れる第３開口部４０にはフィルター４０ａが設けてあるので、給気中のゴミや埃が機器本体内部へ侵入することを防止し、埃が第２風路４３内に詰まったり第２電動送風機２７の羽根に付着して風量をダウンさせて生じる機器の異常過熱や暖房能力ダウンを防止できる。
【００６０】
次に温風暖房運転の運転モード切替スイッチ３１で温風暖房運転を選択すると、第２電動送風機２７は停止したまま第１電動送風機２６が動作し、かつ面状ヒータ１の発熱体１ａに通電され発熱体１ａが発熱する。すると、実線矢印で示す室内空気が第２開口部２２から吸込まれ第１風路４２を通過する際に発熱体１ａと熱交換して温風４４となり、この温風４４は第１開口部２１から吹出されて使用者（図示せず）が居る室内を暖房する。
【００６１】
このとき、温風４４が吹出される第１開口部２１は機器本体下部にあるため、発熱体１ａで発生した熱をより遠くまで届かせることが可能で、運転開始から短時間に足元から暖かく上下温度ムラの少ない暖房をすることができる。しかも、温風４４が通るのは第１風路４２のみで、実施の形態２で説明した輻射暖房機の場合よりも発熱体１ａとの熱交換効率を高めることができ、暖房性能を向上できる。
【００６２】
以上のように、本実施の形態においては、即暖性に優れ且つ室内の上下温度ムラを抑えた足元から暖かい温風暖房運転と、気流感のない快適な輻射暖房運転とを使用者の意志で自在に実現でき、この輻射暖房運転時に輻射量を落とすことなく自然対流を促進する自然対流促進風４５を発生させてより快適な輻射暖房を実現できる。
【００６３】
さらに、前述の第１電動送風機２６および第２電動送風機２７の羽根形状はクロスフローファンとしてあるので、温風４４あるいは自然対流促進風４５を均一に発生させることができ暖房感を向上させ得るばかりではなく、機体構成をコンパクトにすることができる。
【００６４】
（実施の形態４）
図８は、本発明の実施の形態４における輻射暖房機の縦断面図で、外観図は図４、通電回路図は図６と共通である。本実施の形態は、輻射暖房と温風暖房を行える基本的な輻射暖房機の構成は実施の形態１と、そして輻射暖房運転時に輻射量を落とすことなく自然対流を促進する自然対流促進風を発生させる基本構成は実施の形態３とそれぞれ同じで、仕切板で独立させた第１風路と第２風路の構成の点で異なるものである。
【００６５】
図４、図６、図８において、仕切板５０は、上端部を第２開口部２２の下縁に気密に接続し、下端部を第１電動送風機２６の上流側で、第２電動送風機２７の下流側において裏板５に形成してある第３開口部５３の略中間部に一体に接続して第１風路５１と第２風路５２を独立させた構成にしてある。すなわち、面状ヒータ１と裏板５の間に仕切板５０を設け、面状ヒータ１と仕切板５０で第１風路５１を構成するとともに、仕切板５０と裏板５で第２風路５２を構成している。
【００６６】
従って、第１電動送風機２６は第１風路５１の下部に、第２電動送風機２７は第２風路５２の上端部にそれぞれ配置している。第１風路５１の下部は第１開口部２１、上部は第３開口部５３に連通させ、第２風路５２の下部は第３開口部５３、上部は第２開口部２２に連通させてある。第３開口部５３には、フィルター５３ａを取付けてある。
【００６７】
以上のように構成された輻射暖房機について、以下その動作、作用を説明する。まず、電源プラグ９をコンセント（図示せず）に差込み電源スイッチ１０を入れ、運転モード切替スイッチ３１で輻射暖房運転か温風暖房運転かを選択する。
【００６８】
輻射暖房運転の運転モード切替スイッチ３１で輻射暖房運転を選択すると、第１電動送風機２６は停止したまま第２電動送風機２７が動作し、かつ面状ヒータ１の発熱体１ａに通電される。すると、発熱体１ａが発熱し前面のガラスプレート１ｂが加熱されガラスプレート面から輻射放熱されてその前方にいる使用者（図示せず）を暖房するとともに、面状ヒータ１で熱せられた周囲の空気は機器上方へ上昇し部屋の天井へ向かい、やがて冷却された空気は床方向へ下降してくる自然対流が生じて室内をゆっくりと暖房する。このとき、第２電動送風機２７が動作していることにより、２点鎖線の矢印で示すようにフィルター５３ａの付いた第３開口部５３から室内空気が吸引され第２風路５２を経て機器本体の上部に位置する第２開口部２２より室内に放出され自然対流促進風５５が発生して前述の自然対流を促進させ室内の暖房状態を向上させるとともに、輻射暖房運転時の機器本体の温度、特に裏側および上面側を低減することができ、温度対策用の遮熱板などの部品追加によるコストアップなしに安全性を高めることができる。
【００６９】
またさらに、輻射暖房運転の際の自然対流促進風５５は第２風路５２を通るので発熱体１ａ近傍に空気流が発生せず、第２電動送風機２７は温風暖房運転時の第１電動送風機２６よりも低い回転数で運転して自然対流促進風５５の風量を少なくしているため、発熱体１ａの表面温度を維持することができ、輻射量の低下を防ぐことができる。しかも、自然対流促進風５５を取入れる第３開口部５３にはフィルター５３ａが設けてあるので、給気中のゴミや埃が本体内部へ侵入することを防止し、埃が第２風路５２内に詰まったり第２電動送風機２７の羽根に付着して風量をダウンさせて生じる機器の異常過熱や暖房能力ダウンを防止できる。
【００７０】
次に温風暖房運転の運転モード切替スイッチ３１で温風暖房運転を選択すると、第２電動送風機２７は停止したまま第１電動送風機２６が動作し、かつ面状ヒータ１の発熱体１ａに通電され発熱体１ａが発熱する。すると、実線矢印で示す室内空気が第３開口部５３から吸込まれ第１風路５１を通過する際に発熱体１ａと熱交換して温風５４となり、この温風５４は第１開口部２１から吹出されて使用者（図示せず）が居る室内を暖房する。
【００７１】
このとき、温風５４が吹出される第１開口部２１は機器本体下部にあるため、発熱体１ａで発生した熱をより遠くまで届かせることが可能で、運転開始から短時間に足元から暖かく上下温度ムラの少ない暖房をすることができる。しかも、温風５４はフィルター５３ａを設けた第３開口部５３から取入れており、給気中のゴミや埃が本体内部へ侵入することを防止し、埃が第１風路５１内に詰まったり第１電動送風機２６の羽根に付着して風量をダウンさせて生じる機器の異常過熱や暖房能力ダウンを防止できる。
【００７２】
以上のように、本実施の形態においては、即暖性に優れ且つ室内の上下温度ムラを抑えた足元から暖かい温風暖房運転と、気流感のない快適な輻射暖房運転とを使用者の意志で自在に実現でき、この輻射暖房運転時に輻射量を落とすことなく自然対流を促進する自然対流促進風４５を発生させてより快適な輻射暖房を実現できる。
【００７３】
さらに、前述の第１電動送風機２６および第２電動送風機２７の羽根形状はクロスフローファンとしてあるので、温風５４あるいは自然対流促進風５５を均一に発生させることができ暖房感を向上させ得るばかりではなく、機体構成をコンパクトにすることができる。
【００７４】
なお、上記各実施の形態における発熱体は、電気ヒータを使用しているが、これに限定されるものではなく、ガス、石油を燃料とする熱源、その他であっても良い。
【産業上の利用可能性】
【００７５】
以上のように、本発明にかかる輻射暖房機は、輻射暖房運転に加え温風暖房運転も可能となり、室内温度ムラを抑えた即暖性の高い快適な暖房を実現できるとともに、機体温度上昇を抑えたコンパクトな構成で、かつ自然対流を促進し快適な輻射暖房運転を実現でき、電気、その他の熱源の輻射暖房機機に適用できる。
【図面の簡単な説明】
【００７６】
【図１】本発明の実施の形態１における輻射暖房機の斜視図
【図２】本発明の実施の形態１における輻射暖房機の縦断面図
【図３】本発明の実施の形態１における通電回路図
【図４】本発明の実施の形態２における輻射暖房機の斜視図
【図５】本発明の実施の形態２における輻射暖房機の縦断面図
【図６】本発明の実施の形態２〜実施の形態４における通電回路図
【図７】本発明の実施の形態３における輻射暖房機の縦断面図
【図８】本発明の実施の形態４における輻射暖房機の縦断面図
【図９】従来の遠赤外線を備えた電気ヒータの要部の分解斜視図
【符号の説明】
【００７７】
１  面状ヒータ
１ａ  発熱体
１ｂ  ガラスプレート
２  天板
３  架台
４  側板
５  裏板
６  風路
６ａ  温風吹出口
６ｂ  空気吸込口
７  運転操作部
８  電動送風機
１１、３１  運転モード切替スイッチ
１２  制御手段
２１  第１開口部
２２  第２開口部
２３、４１、５０  仕切板
２４、４２、５１  第１風路
２５、４３、５２  第２風路
２６  第１電動送風機
２７  第２電動送風機
４０、５３  第３開口部
４０ａ、５３ａ  フィルター
【図１】
2006010156.tif 000003
【図２】
2006010156.tif 000004
【図３】
2006010156.tif 000005
【図４】
2006010156.tif 000006
【図５】
2006010156.tif 000007
【図６】
2006010156.tif 000008
【図７】
2006010156.tif 000009
【図８】
2006010156.tif 000010
【図９】
2006010156.tif 000011